(57)【要約】  乗客コンベアのコムプレート移動検出装置は、作動片、検出レバー、及び検出器を有している。作動片は、コムプレートに対して固定されている。検出レバーは、コムプレートを支持するプレート支持部材に対して回転可能である。また、検出レバーは、作動片に接触している。また、検出レバーは、作動片の水平方向への移動及び上方への移動により回転する。検出レバーの回転は、検出器により検出される。
2019220634.tif 000002
【特許請求の範囲】
【請求項１】
コムプレートに対して固定されている作動片、
前記コムプレートを支持するプレート支持部材に対して回転可能であり、かつ、前記作動片に接触しており、前記作動片の水平方向への移動及び上方への移動により回転する検出レバー、及び
前記検出レバーの回転を検出する検出器
を備えている乗客コンベアのコムプレート移動検出装置。
【請求項２】
前記検出レバー及び前記作動片のいずれか一方は、前記検出レバー及び前記作動片の他方に接触している傾斜面を有しており、
前記傾斜面は、水平方向に対して傾斜している請求項１記載の乗客コンベアのコムプレート移動検出装置。
【請求項３】
前記検出器は、前記検出レバーにより操作される検出スイッチであり、
前記検出レバーは、前記作動片の移動を拡大して前記検出スイッチに伝達する請求項１又は請求項２に記載の乗客コンベアのコムプレート移動検出装置。
【請求項４】
前記検出レバーは、前記検出レバーの回転軸の一側で前記作動片の上に載せられており、
前記検出器は、前記回転軸の他側で前記検出レバーの下側に配置されている請求項１から請求項３までのいずれか１項に記載の乗客コンベアのコムプレート移動検出装置。
【発明の詳細な説明】
【技術分野】
【０００１】
この発明は、コムプレートの水平方向への移動及び浮き上がりを検出する乗客コンベアのコムプレート移動検出装置に関するものである。
【背景技術】
【０００２】
従来の乗客コンベアの安全装置では、降り口の床下に検出アームが配置されている。検出アームは、水平なピンを中心に回転可能である。検出アームの上端とコンベアベルトとの間に利用者の足が挟まれそうになると、検出アームが回転し、リミットスイッチが操作される（例えば、特許文献１参照）。【０００３】
また、従来の他の乗客コンベアの安全装置では、コムプレートの幅方向の端部に検知レバーが設けられている。検知レバーの上方には、検知スイッチが設けられている。コムプレートが浮き上がると、検知レバーにより検知スイッチが操作される（例えば、特許文献２参照）。【０００４】
また、従来のさらに他の乗客コンベアの安全装置では、第１のリミットスイッチにより、コムプレートのランディングプレート側への移動が検出される。また、第２のリミットスイッチにより、コムプレートの浮き上がりが検出される（例えば、特許文献３参照）。
【先行技術文献】
【特許文献】
【０００５】
【特許文献１】実開平４−１１７８８５号公報
【特許文献２】特開平１１−１７１４５７号公報
【特許文献３】特開平８−３２４９４９号公報
【発明の概要】
【発明が解決しようとする課題】
【０００６】
特許文献１に示された従来の安全装置では、検出アームの上端とコンベアベルトとの間への足の侵入を検出するため、大形の検出アームを降り口の床下に設置する必要があった。また、検出アームの上端の浮き上がりしか検出することができなかった。【０００７】
また、特許文献２に示された従来の安全装置でも、コムプレートの浮き上がりしか検出することができなかった。【０００８】
また、特許文献３に示された従来の安全装置では、２つのリミットスイッチを用いているため、コストが高くなるとともに、２箇所の設置スペースが必要となる。【０００９】
この発明は、上記のような課題を解決するためになされたものであり、簡単な構成により、コムプレートの水平方向への移動及び浮き上がりを検出することができる乗客コンベアのコムプレート移動検出装置を得ることを目的とする。
【課題を解決するための手段】
【００１０】
この発明に係る乗客コンベアのコムプレート移動検出装置は、コムプレートに対して固定されている作動片、コムプレートを支持するプレート支持部材に対して回転可能であり、かつ、作動片に接触しており、作動片の水平方向への移動及び上方への移動により回転する検出レバー、及び検出レバーの回転を検出する検出器を備えている。
【発明の効果】
【００１１】
この発明の乗客コンベアのコムプレート移動検出装置は、作動片の水平方向への移動及び上方への移動により検出レバーが回転し、検出レバーの回転が検出器により検出される。このため、簡単な構成により、コムプレートの水平方向への移動及び浮き上がりを検出することができる。
【図面の簡単な説明】
【００１２】
【図１】この発明の実施の形態１によるエスカレータを示す概略の構成図である。
【図２】図１のＩＩ部を拡大して示す側面図である。
【図３】実施の形態１のコムプレート移動検出装置を示す側面図である。
【図４】図３の要部を拡大して示す側面図である。
【図５】この発明の実施の形態２によるコムプレート移動検出装置を示す側面図である。
【図６】実施の形態１のコムプレート移動検出装置の変形例の要部を示す側面図である。
【図７】実施の形態２のコムプレート移動検出装置の変形例の要部を示す側面図である。
【発明を実施するための形態】
【００１３】
以下、この発明を実施するための形態について、図面を参照して説明する。
実施の形態１．
図１は、この発明の実施の形態１によるエスカレータを示す概略の構成図である。図１において、トラス１は、上下階の建築梁間に架設されている。また、トラス１は、エスカレータの自重及び乗客荷重を支持する。トラス１には、複数のステップ２が支持されている。ステップ２は、無端状に連結されている。ステップ２の幅方向両側のトラス１上には、一対の欄干３が立てられている。
【００１４】
図２は、図１のＩＩ部を拡大して示す側面図である。エスカレータの乗降口の床部には、ランディングプレート４及びコムプレート５が設けられている。ランディングプレート４は、床板の一部を構成している。
【００１５】
コムプレート５は、ランディングプレート４に対して、トラス１の長手方向の中間部側に配置されている。コムプレート５には、複数の櫛６が固定されている。櫛６は、ステップ２の幅方向に並べて配置されている。各櫛６は、複数の櫛歯を有している。各櫛歯は、ステップ２の上面クリートと噛み合っている。
【００１６】
図３は、実施の形態１のコムプレート移動検出装置を示す側面図である。乗降口の床部には、プレート支持部材７が設けられている。プレート支持部材７は、平板状の水平部７ａと、平板状の垂直部７ｂとを有している。垂直部７ｂは、水平部７ａから上方へ垂直に突出している。
【００１７】
コムプレート５は、水平部７ａ上に支持されている。水平部７ａとコムプレート５との間には、ガイド部材８が介在している。コムプレート５は、ガイド部材８に案内されて、ランディングプレート４側へ水平に移動可能となっている。
【００１８】
垂直部７ｂとコムプレート５との間には、第１の圧縮ばね９が設けられている。第１の圧縮ばね９は、コムプレート５がランディングプレート４側へ水平に移動することにより圧縮される。即ち、コムプレート５の水平方向への移動に必要な力は、第１の圧縮ばね９により調整されている。
【００１９】
コムプレート５上には、第２の圧縮ばね１０が設けられている。第２の圧縮ばね１０は、コムプレート５が上方へ浮き上がることにより圧縮される。即ち、コムプレート５の浮き上がりに必要な力は、第２の圧縮ばね１０により調整されている。
【００２０】
コムプレート５の櫛６側の端部には、Ｌ字形の支持片１１が固定されている。支持片１１には、丸棒状の作動片１２が固定されている。即ち、作動片１２は、支持片１１を介してコムプレート５に対して固定されている。これにより、作動片１２は、コムプレート５と一体に移動する。
【００２１】
垂直部７ｂには、回転軸１３が設けられている。回転軸１３には、検出レバー１４が設けられている。検出レバー１４は、回転軸１３を中心としてプレート支持部材７に対して回転可能である。
【００２２】
検出レバー１４は、傾斜面１４ａ及び操作部１４ｂを有している。傾斜面１４ａは、ランディングプレート４側へ行くに従って低くなるように、水平方向に対して傾斜している。傾斜面１４ａは、作動片１２に接触している。また、検出レバー１４は、作動片１２上に載せられている。
【００２３】
操作部１４ｂは、検出レバー１４の回転軸１３とは反対側の端部に上向きに配置されている。操作部１４ｂの上方には、検出器としての検出スイッチ１５が配置されている。検出スイッチ１５は、隙間を介して操作部１４ｂに対向している。検出スイッチ１５としては、リミットスイッチが用いられている。
【００２４】
検出レバー１４は、作動片１２の水平方向への移動及び上方への移動により回転する。検出スイッチ１５は、図３の時計方向への検出レバー１４の回転により、機械的に操作される。これにより、検出スイッチ１５は、検出レバー１４の回転を検出する。
【００２５】
ガイド部材８、第１の圧縮ばね９、第２の圧縮ばね１０、支持片１１、作動片１２、回転軸１３、検出レバー１４、及び検出スイッチ１５は、コムプレート５の幅方向の一端部で、欄干３の内側に配置されている。また、同様の構成は、コムプレート５の幅方向の他端部にも配置されている。
【００２６】
図４は、図３の要部を拡大して示す側面図である。実施の形態１では、回転軸１３が、検出レバー１４の操作部１４ｂとは反対側の端部に配置されている。そして、作動片１２及び検出スイッチ１５は、回転軸１３に対して同じ側に配置されている。
【００２７】
回転軸１３から検出レバー１４の検出スイッチ１５との接触部までの水平距離Ｌ２は、回転軸１３から検出レバー１４の作動片１２との接触部までの水平距離Ｌ１よりも大きい。
【００２８】
これにより、検出レバー１４は、作動片１２の移動を拡大して検出スイッチ１５に伝達する。例えば、Ｌ１：Ｌ２を１：４に設定した場合、作動片１２が１ｍｍ浮き上がるだけで、検出スイッチ１５を約４ｍｍ押し込むことができる。
【００２９】
次に、動作について説明する。ステップ２が図３の矢印方向へ移動しているとき、櫛６とステップ２との間に物が挟まれて、コムプレート５がランディングプレート４側へ水平に移動することがある。この場合、作動片１２も水平方向へ移動するため、検出レバー１４は、作動片１２により押し上げられ、図３の時計方向へ回転する。これにより、検出スイッチ１５が操作され、ステップ２の移動が停止する。
【００３０】
また、ステップ２が持ち上がり、コムプレート５に衝突して、コムプレート５が鉛直上方向に持ち上げられることがある。この場合、作動片１２も鉛直上方へ移動するため、検出レバー１４は、作動片１２により押し上げられ、図３の時計方向へ回転する。これにより、検出スイッチ１５が操作され、ステップ２の移動が停止する。
【００３１】
このようなコムプレート移動検出装置では、作動片１２の水平方向への移動及び上方への移動により検出レバー１４が回転し、検出レバー１４の回転により検出スイッチ１５が操作される。このため、簡単な構成により、コムプレート５の水平方向への移動及び浮き上がりを検出することができる。
【００３２】
また、コムプレート５の全体が浮き上がった場合でも、検出レバー１４が回転し、検出スイッチ１５を操作することができる。
【００３３】
また、作動片１２は、検出レバー１４の傾斜面１４ａに接触している。このため、簡単な構成により、コムプレート５の水平方向への移動を検出レバー１４の回転に変換することができる。
【００３４】
また、検出レバー１４は、作動片１２の移動を拡大して検出スイッチ１５に伝達するので、コムプレート５の水平方向への移動及び浮き上がりをより確実に検出することができる。
【００３５】
また、従来は、拡大機構がコムプレートに固定されていたため、小さいコムプレートの変位でリミットスイッチを操作するために長い拡大機構が必要となっていた。しかし、本実施の形態では、コムプレート５とは別に、回転可能な検出レバー１４を用いたことで、設置スペースを抑えつつ、より小さい変位で検出スイッチ１５を操作することができる。
【００３６】
また、図４の水平距離Ｌ１及びＬ２を変更することで、検出スイッチ１５を操作するために必要なコムプレート５の変位量を容易に調整することができる。
【００３７】
実施の形態２．
次に、図５は、この発明の実施の形態２によるコムプレート移動検出装置を示す側面図である。実施の形態２では、回転軸１３が、検出レバー１４の中間部に配置されている。そして、作動片１２は、回転軸１３の一側に配置されている。また、検出スイッチ１５は、回転軸１３の他側に配置されている。
【００３８】
操作部１４ｂは、検出レバー１４の作動片１２とは反対側の端部に下向きに配置されている。検出レバー１４は、回転軸１３の一側で作動片１２の上に載せられている。また、検出スイッチ１５は、回転軸１３の他側で検出レバー１４の下側に配置されている。
【００３９】
コムプレート５がランディングプレート４側へ水平に移動すると、検出レバー１４は、作動片１２により押し上げられ、図５の反時計方向へ回転する。これにより、操作部１４ｂが下方へ移動し、検出スイッチ１５が操作され、ステップ２の移動が停止する。
【００４０】
また、コムプレート５が鉛直上方向に持ち上げられると、検出レバー１４は、作動片１２により押し上げられ、図５の反時計方向へ回転する。これにより、検出スイッチ１５が操作され、ステップ２の移動が停止する。他の構成及び動作は、実施の形態１と同様である。
【００４１】
このような構成によっても、実施の形態１と同様の効果が得られる。また、作動片１２及び検出スイッチ１５の両方が検出レバー１４の下側に配置されるため、装置の設置に必要な上下方向のスペースを削減することができる。
【００４２】
なお、図６は、実施の形態１のコムプレート移動検出装置の変形例の要部を示す側面図である。この変形例では、傾斜面１６ａを有する作動片１６が用いられている。傾斜面１６ａは、ランディングプレート４側へ行くに従って低くなるように、水平方向に対して傾斜している。
【００４３】
検出レバー１４は、傾斜面１６ａに接するピン１４ｃを有している。ピン１４ｃ及び操作部１４ｂは、回転軸１３に対して同じ側に配置されている。
【００４４】
作動片１６がランディングプレート４側へ水平に移動すると、ピン１４ｃが作動片１６により押し上げられ、検出レバー１４が図６の時計方向へ回転する。これにより、操作部１４ｂが上方へ移動し、検出スイッチ１５が操作される。他の構成及び動作は、実施の形態１と同様である。
【００４５】
また、図７は、実施の形態２のコムプレート移動検出装置の変形例の要部を示す側面図である。この変形例では、図６と同様の作動片１６が用いられている。また、ピン１４ｃは、回転軸１３に対して操作部１４ｂとは反対側に配置されている。他の構成及び動作は、実施の形態２と同様である。
【００４６】
図６及び図７に示したように、作動片１６側に傾斜面１６ａを設け、検出レバー１４側にピン１４ｃを設けても、実施の形態１、２と同様の効果を得ることができる。
【００４７】
また、傾斜面１４ａ，１６ａは、曲面であってもよい。
【００４８】
また、検出スイッチ１５は、リミットスイッチに限定されるものではなく、他の機械式スイッチであってもよい。また、検出器は、スイッチに限定されるものではなく、磁気、光等を用いて検出レバー１４の回転を非接触で検出するセンサであってもよい。
【００４９】
また、コムプレート移動検出装置は、コムプレート５の幅方向の一端部のみに設置してもよい。
【００５０】
また、上記の例では、乗客コンベアとしてエスカレータを示したが、この発明は、動く歩道にも適用できる。
【符号の説明】
【００５１】
５  コムプレート、７  プレート支持部材、１２，１６  作動片、１４  検出レバー、１４ａ，１６ａ  傾斜面、１５  検出スイッチ。
【図１】
2019220634.tif 000003
【図２】
2019220634.tif 000004
【図３】
2019220634.tif 000005
【図４】
2019220634.tif 000006
【図５】
2019220634.tif 000007
【図６】
2019220634.tif 000008
【図７】
2019220634.tif 000009
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
コムプレートに対して固定されている作動片、
前記コムプレートを支持するプレート支持部材に対して回転可能であり、かつ、前記作動片に接触しており、前記作動片の水平方向への移動及び上方への移動により回転する検出レバー、及び
前記検出レバーの回転を検出する検出器
を備え、
前記検出レバーは、前記作動片の移動を拡大して前記検出器に伝達する乗客コンベアのコムプレート移動検出装置。
【請求項２】
コムプレートに対して固定されている作動片、
前記コムプレートを支持するプレート支持部材に対して回転可能であり、かつ、前記作動片に接触しており、前記作動片の水平方向への移動及び上方への移動により回転する検出レバー、及び
前記検出レバーの回転を検出する検出器
を備え、
前記検出レバーは、前記検出レバーの回転軸の一側で前記作動片の上に載せられており、
前記検出器は、前記回転軸の他側で前記検出レバーの下側に配置されている乗客コンベアのコムプレート移動検出装置。
【請求項３】
前記検出レバー及び前記作動片のいずれか一方は、前記検出レバー及び前記作動片の他方に接触している傾斜面を有しており、
前記傾斜面は、水平方向に対して傾斜している請求項１又は請求項２に記載の乗客コンベアのコムプレート移動検出装置。
【請求項４】
前記検出器は、前記検出レバーにより操作される検出スイッチである請求項１から請求項３までのいずれか１項に記載の乗客コンベアのコムプレート移動検出装置。
【国際調査報告】
2019220634.tif 000010
2019220634.tif 000011
2019220634.tif 000012
2019220634.tif 000013